(57)【要約】【課題】  ガスタービンの燃焼器ライナの冷却特性向上及び圧力損失低減を同時に成立させることのでき、製品の長寿命化が実現可能なこと。【解決手段】  本発明のガスタービン燃焼器は、上記課題を解決するために、燃焼器ライナの外周側に配置されたライナフロースリーブに、圧縮機から供給される燃焼空気が流通する環状流路と流通するバイパス孔が周方向に所定間隔をもって複数個形成され、かつ、前記バイパス孔を外周側から覆うと共に、前記燃焼器ライナの軸方向にスライドして前記バイパス孔を覆う位置を移動させることで、前記バイパス孔の開口面積を調整する帯状部材を備えていることを特徴とする。【選択図】図２
2016118366.tif 000002
【特許請求の範囲】
【請求項１】
空気を圧縮して燃焼空気を生成する圧縮機から導入される前記燃焼空気と燃料を混合して燃焼室で燃焼させることで、タービンを駆動する燃焼ガスを生成する燃焼器を備え、
前記燃焼器は、外筒と、該外筒の内側に間隔をもって設けられ、前記燃焼室を内部に形成する燃焼器ライナと、該燃焼器ライナの外周側に配置されたライナフロースリーブと、前記燃焼器ライナのガスタービン側の開口部に連接され、前記燃焼室で生成された前記燃焼ガスを前記タービンに導くトランジションピースと、前記外筒及び前記ライナフロースリーブと前記燃焼器ライナとの径方向間に形成され、前記圧縮機から供給される燃焼空気が流通する環状流路と、前記燃焼器ライナの燃焼ガス流通方向の上流側端部を塞ぎ、片側端面が前記燃焼室に臨むように前記燃焼器ライナの中心軸に直交して配置されているプレートと、該プレート上に配置された複数のバーナとから成り、
前記ライナフロースリーブに、前記環状流路と流通するバイパス孔が周方向に所定間隔をもって複数個形成され、かつ、前記バイパス孔を外周側から覆うと共に、前記燃焼器ライナの軸方向にスライドして前記バイパス孔を覆う位置を移動させることで、前記バイパス孔の開口面積を調整する帯状部材を備えていることを特徴とするガスタービン燃焼器。
【請求項２】
請求項１に記載のガスタービン燃焼器において、
前記バイパス孔は、周方向に所定間隔をもって複数個形成されているバイパス孔の列が軸方向に複数列設けられていると共に、前記軸方向に複数列設けられている前記バイパス孔を前記帯状部材が前記燃焼器ライナの軸方向にスライドして、前記バイパス孔の開口面積を調整することを特徴とするガスタービン燃焼器。
【請求項３】
請求項２に記載のガスタービン燃焼器において、
周方向に所定間隔をもって複数個形成されている列が軸方向に複数列設けられている前記バイパス孔と一致するように、前記帯状部材にもバイパス孔が形成されていることを特徴とするガスタービン燃焼器。
【請求項４】
請求項３に記載のガスタービン燃焼器において、
前記帯状部材を前記燃焼器ライナの周方向に回転駆動させる駆動装置を備えていることを特徴とするガスタービン燃焼器。
【請求項５】
請求項１乃至４のいずれか１項に記載のガスタービン燃焼器において、
前記バイパス孔は、円形であることを特徴とするガスタービン燃焼器。
【請求項６】
請求項３又は４に記載のガスタービン燃焼器において、
前記ライナフロースリーブと前記帯状部材に形成されている前記バイパス孔は、その大きさが周方向で異なっていることを特徴とするガスタービン燃焼器。
【請求項７】
請求項６に記載のガスタービン燃焼器において、
前記バイパス孔は、各列の前記燃焼器ライナの軸方向に隣り合う前記バイパス孔の大きさが順に大きくなる列と、その隣が順に小さくなる列を組合せたて構成されていることを特徴とするガスタービン燃焼器。
【請求項８】
請求項１に記載のガスタービン燃焼器において、
前記バイパス孔は、周方向に所定間隔をもって二つの等しい長さの平行線と二つの半円形から成る角丸長方形状のものが複数個形成されていると共に、前記角丸長方形状の前記バイパス孔を前記帯状部材が前記燃焼器ライナの軸方向にスライドして、前記バイパス孔の開口面積を調整することを特徴とするガスタービン燃焼器。
【請求項９】
請求項８に記載のガスタービン燃焼器において、
前記帯状部材の前記角丸長方形状の前記バイパス孔と対応する位置に、前記バイパス孔を通過して前記燃焼器ライナの外周側まで伸びる円形管が設けられていることを特徴とするガスタービン燃焼器。
【請求項１０】
請求項１乃至９のいずれか１項に記載のガスタービン燃焼器において、
前記帯状部材を前記燃焼器ライナの軸方向にスライドさせる駆動装置及び前記燃焼器ライナの温度と前記燃焼器の圧力損失の信号に基づいて前記駆動装置を駆動制御する制御装置を備えていることを特徴とするガスタービン燃焼器。
【請求項１１】
請求項１０に記載のガスタービン燃焼器において、
前記帯状部材を前記燃焼器ライナの軸方向にスライドさせる駆動装置は、前記燃焼器ライナの温度と前記燃焼器の圧力損失の信号を入力して処理され、前記制御装置の指示に基づいて可動されることを特徴とするガスタービン燃焼器。
【発明の詳細な説明】
【技術分野】
【０００１】
本発明はガスタービン燃焼器に係り、特に、燃焼用空気の流量を調整する構成に好適なガスタービン燃焼器に関する。
【背景技術】
【０００２】
火力発電所を構成するガスタービンなどの燃焼器ライナ、タービン翼、熱交換器、フィン、ボイラ及び加熱炉など冷却、加熱、熱交換等における流体と固体の間の伝熱促進に対しては、各機器に要求される仕様に基づいて様々な構造が考えられている。
【０００３】
例えば、発電用ガスタービンなどの燃焼器においては、ガスタービン効率を損なうことが無い程度の少ない圧力損失で必要な冷却性能を維持し、構造強度の信頼性を維持することが求められている。
【０００４】
更に、環境問題への配慮の観点からは、燃焼器内に生じる窒素酸化物（ＮＯｘ）の排出量を低減することが求められている。このＮＯｘの低減は、燃料と空気を燃焼前に混合して燃焼する予混合燃焼を利用し、かつ、燃料と空気の混合比（燃空比）が理論混合比よりも小さい状態で燃焼させることによって図られる。
【０００５】
この点を鑑みたガスタービン燃焼器として、予混合バーナの燃焼空気流通路に設けられ、燃焼用空気の流量を調整する予混合燃焼用空気流量調節弁（ＩＦＣ）を備え、予混合燃焼用空気流量調節弁の開度を燃料供給量に合わせ制御するようになしたガスタービンシステムの制御装置を備えるものが、特許文献１に記載されている。即ち、特許文献１には、燃料と空気を予め混合させ、その混合気を燃焼させる予混合燃焼は、燃料と空気が混合しながら燃焼する拡散燃焼に比し、低ＮＯｘ化を図ることができることが記載されている。
【０００６】
しかし、低ＮＯｘ化を図りつつ予混合燃焼を安定させるには、その燃空比を調整し適度に保つ必要がある。そのため、予混合燃焼器の空気流通路に空気の流量を調整する予混合燃焼空気流量調節弁を設け、この予混合燃焼空気流量調節弁により、供給燃料流量に関連させて予混合燃焼器に供給される空気の量を調整するようにしている。
【０００７】
上述した特許文献１は、ガスタービンの運転負荷に応じて適切な燃焼用空気量を制御（増減）するものであり、例えば、ＩＦＣ制御によって燃焼用空気量を減少した場合には、余剰となった燃焼空気は、燃焼器ライナに設けられた希釈孔等に流入することとなり、燃焼器ライナの冷却強化や圧力損失低減に寄与するものではない。
【先行技術文献】
【特許文献】
【０００８】
【特許文献１】特開平７−２６９３７３号公報
【発明の概要】
【発明が解決しようとする課題】
【０００９】
しかしながら、上述した特許文献１に記載されている予混合バーナは、低ＮＯｘ性の点で優れたものであり、また、燃焼器ライナを冷却するための冷却空気を使用しない対流冷却を強化したフィルムレス燃焼器ライナとしては、冷却特性の点で優れたものであるが、燃焼器ライナの冷却特性向上及び圧力損失低減の両立（制御）という観点からは構造を改良する余地がある。
【００１０】
例えば、上記フィルムレス燃焼器ライナでは、燃焼器ライナの対流冷却性能を向上させることによりフィルムレス冷却構造を確立し、節約できた冷却用空気量を予混合燃焼用空気として用いることで、希薄予混合燃焼による低ＮＯｘ化を図るものである。それと同時に、ガスタービンの出力向上を図るため、燃焼ガス温度は年々高温化傾向にある。このフィルムレス燃焼器ライナでは、冷却性能を向上させるため、燃焼器ライナの外側表面を流れる燃焼空気流速を高速化させる構造となっている。
【００１１】
しかし、この燃焼器ライナの外側表面を流れる燃焼空気流速の高速化は、圧力損失を増加させる大きな要因であることから、ガスタービン性能の低下を招く恐れがある。
【００１２】
本発明は上述の点に鑑みなされたもので、その目的とするところは、ガスタービンの燃焼器ライナの冷却特性向上及び圧力損失低減を同時に成立させることのでき、製品の長寿命化が実現可能なガスタービン燃焼器を提供することにある。
【課題を解決するための手段】
【００１３】
本発明のガスタービン燃焼器は、上記目的を達成するために、空気を圧縮して燃焼空気を生成する圧縮機から導入される前記燃焼空気と燃料を混合して燃焼室で燃焼させることで、タービンを駆動する燃焼ガスを生成する燃焼器を備え、前記燃焼器は、外筒と、該外筒の内側に間隔をもって設けられ、前記燃焼室を内部に形成する燃焼器ライナと、該燃焼器ライナの外周側に配置されたライナフロースリーブと、前記燃焼器ライナのガスタービン側の開口部に連接され、前記燃焼室で生成された前記燃焼ガスを前記タービンに導くトランジションピースと、前記外筒及び前記ライナフロースリーブと前記燃焼器ライナとの径方向間に形成され、前記圧縮機から供給される燃焼空気が流通する環状流路と、前記燃焼器ライナの燃焼ガス流通方向の上流側端部を塞ぎ、片側端面が前記燃焼室に臨むように前記燃焼器ライナの中心軸に直交して配置されているプレートと、該プレート上に配置された複数のバーナとから成り、前記ライナフロースリーブに、前記環状流路と流通するバイパス孔が周方向に所定間隔をもって複数個形成され、かつ、前記バイパス孔を外周側から覆うと共に、前記燃焼器ライナの軸方向にスライドして前記バイパス孔を覆う位置を移動させることで、前記バイパス孔の開口面積を調整する帯状部材を備えていることを特徴とする。
【発明の効果】
【００１４】
本発明によれば、ガスタービンの燃焼器ライナの冷却特性向上及び圧力損失低減を同時に成立させることのでき、製品の長寿命化が実現可能なガスタービン燃焼器を得ることができる。
【図面の簡単な説明】
【００１５】
【図１】本発明の対象であるガスタービン燃焼器の従来の構成を示すと共に、これを備えるガスタービンプラントを示す概略構成図である。
【図２】本発明のガスタービン燃焼器の実施例１であり、燃焼器ライナを冷却するための冷却空気を使用しない対流冷却を強化したフィルムレスガスタービン燃焼器を備えるガスタービンプラントを示す概略構成図である。
【図３】本発明のガスタービン燃焼器の実施例１に採用されるライナフロースリーブ及びフローコントロール（ＦＣ）弁の詳細を示す斜視図である。
【図４】本発明のガスタービン燃焼器の実施例２に採用されるライナフロースリーブ及びフローコントロール（ＦＣ）弁の詳細を示す斜視図である。
【図５】本発明のガスタービン燃焼器の実施例３に採用されるライナフロースリーブ及びフローコントロール（ＦＣ）弁の詳細を示す斜視図である。
【図６（ａ）】本発明のガスタービン燃焼器の実施例４に採用されるライナフロースリーブ及びフローコントロール（ＦＣ）弁の詳細を示す斜視図である。
【図６（ｂ）】図６（ａ）のＡ−Ａ線に沿う断面図である。
【図７】本発明のガスタービン燃焼器の実施例５に採用されるライナフロースリーブ及びフローコントロール（ＦＣ）弁の詳細を示す斜視図である。
【図８】本発明のガスタービン燃焼器の実施例６に採用されるライナフロースリーブ及びフローコントロール（ＦＣ）弁の詳細を示す斜視図である。
【図９】本発明のガスタービン燃焼器の実施例１におけるライナフロースリーブのバイパス孔の位置と燃焼器ライナ温度及びバイパス孔から流入する空気流量の関係を説明するための図である。
【図１０】本発明のガスタービン燃焼器の実施例におけるフローコントロール（ＦＣ）弁の開度（ＦＣ開度）と空気流量特性の関係を示す図である。
【図１１】本発明のガスタービン燃焼器の実施例におけるフローコントロール（ＦＣ）弁の開度（ＦＣ開度）と燃焼器ライナ温度の関係を示す図である。
【図１２】本発明のガスタービン燃焼器の実施例におけるフローコントロール（ＦＣ）弁の開度（ＦＣ開度）と圧力損失の関係を示す図である。
【図１３】本発明のガスタービン燃焼器の実施例１におけるフローコントロール（ＦＣ）弁をスライドした際のライナフロースリーブのバイパス孔の位置と燃焼器ライナ温度及びバイパス孔から流入する空気流量の関係を説明するための図である。
【図１４】図１３に示した状態におけるフローコントロール（ＦＣ）弁の開度（ＦＣ開度）と燃焼器ライナ温度の関係を示す図である。
【図１５】燃焼ガス温度を高温化した場合の「従来型ガスタービン（ＧＴ）」における燃焼器ライナ温度、圧力損失特性とガスタービン（ＧＴ）負荷の関係を示す図である。
【図１６】燃焼ガス温度を高温化した場合の「冷却強化型ガスタービン（ＧＴ）」」における燃焼器ライナ温度、圧力損失特性とガスタービン（ＧＴ）負荷の関係を示す図である。
【図１７】燃焼ガス温度を高温化した場合の「ＦＣ制御型ガスタービン（ＧＴ）」におけるＦＣ開度、燃焼器ライナ温度、圧力損失特性とガスタービン（ＧＴ）負荷の関係を示す図である。
【発明を実施するための形態】
【００１６】
以下、図示した実施例に基づいて本発明のガスタービン燃焼器を説明する。なお、各実施例において、同一構成部品には同符号を使用する。
【００１７】
図１は、本発明の対象であるガスタービン燃焼器の従来の構成を示すと共に、これを備えるガスタービンプラント（ガスタービン発電設備）の概略構成を示す。
【００１８】
該図に示す如く、ガスタービンプラントは、空気を圧縮して高圧の燃焼空気２（圧縮空気）を生成する圧縮機１と、この圧縮機１から導入される燃焼空気２と燃料を混合して燃焼させることで、高温の燃焼ガス４を生成する燃焼器６と、この燃焼器６で生成された燃焼ガス４のエネルギーにより軸駆動力を得るタービン３と、このタービン３によって駆動され発電を行う発電機７とから概略構成されている。なお、図示した圧縮機１、タービン３及び発電機７の回転軸は、機械的に連結されている。
【００１９】
上述した燃焼器６は、外筒１０と、外筒１０の内側に所定の間隔を介して設けられ、燃焼室５を内部に形成する円筒状の燃焼器ライナ（内筒）８と、この燃焼器ライナ８のタービン３側の開口部に連接され、燃焼室５で生成された燃焼ガス４をタービン３に導くトランジションピース（尾筒）９と、トランジションピース９の外周側に設けられたトランジションピースフロースリーブ１６と、外筒１０とトランジションピースフロースリーブ１６の間の燃焼器ライナ８の外周側に設けられたライナフロースリーブ１４と、外筒１０と燃焼器ライナ８、ライナフロースリーブ１４と燃焼器ライナ８及びトランジションピースフロースリーブ１６とトランジションピース９のそれぞれの径方向間に形成され、圧縮機１から供給される燃焼空気（伝熱媒体）２が流通する環状流路１１と、燃焼器ライナ８の燃焼ガス４の流通方向の上流側端部を全面的に塞ぎ、片側端面が燃焼室５に臨むように燃焼器ライナ８の中心軸に略直交して配置されている略円板状のプレート１２と、このプレート１２上に配置された複数のバーナ１３とを備えている。なお、燃焼器ライナ８及びライナフロースリーブ１４は、円筒部材で形成されている。
【００２０】
そして、トランジションピース９の外周側に設けたトランジションピースフロースリーブ１６、燃焼器ライナ８の外周側に設けたライナフロースリーブ１４によって形成された環状流路１１には、トランジションピース９及び燃焼器ライナ８の外周面に沿って高圧の燃焼空気２が流れており、伝熱対象物である燃焼器ライナ８は、伝熱媒体である燃焼空気２と熱交換することで冷却される。また、ライナフロースリーブ１４には、環状流路１１に流通する複数個のバイパス孔１５が開けられており、燃焼空気２の一部をバイパス孔１５に流入させることによって、燃焼器６全体の圧力損失の上昇を抑制して適正に保っている。
【実施例１】
【００２１】
図２及び図３に、本発明のガスタービン燃焼器の実施例１を示す。
【００２２】
図２は、燃焼器ライナ８を冷却するための冷却空気を使用しない対流冷却を強化したフィルムレスガスタービン燃焼器を備えるガスタービンプラント（ガスタービン発電設備）の概略構成を示すものであり、その構成は、図１を用いて説明した従来と略同一なので、詳細説明は省略する。
【００２３】
本実施例の主な特徴は、図３を用いて後述するが、燃焼器ライナ８の外周側に設置されているライナフロースリーブ１４の周方向に所定間隔をもって複数の円形のバイパス孔１５が設けられ、このバイパス孔１５の列が燃焼器ライナ８の軸方向に複数列設けられており、更に、ライナフロースリーブ１４の外周側に、複数列のバイパス孔１５を完全に覆う（閉塞する）ことができる帯状部材であるベルト状のフローコントロール（ＦＣ）弁１９が設置されている。このベルト状のフローコントロール弁１９は、空気式或いは油圧式のアキュームレータ等から成る駆動装置１８によって燃焼器ライナ８の軸方向に可動させることができ、燃焼器ライナ８の温度（Ｔ）と燃焼器６の圧力損失（ΔＰ）の信号を入力して処理し、制御装置１７の指示に基づいて適正に可動されるものである。
【００２４】
ここで、本実施例の具体的な内容を述べる前に、ガスタービン燃焼器の燃焼器ライナ８の温度と燃焼器６の圧力損失特性について、その一般的概要を説明する。
【００２５】
現状、ガスタービンは、既存ガスタービン機器のマイナーチェンジによる出力向上を図ることがあるため、その場合は、燃焼ガス温度の高温化が求められる。
【００２６】
図１５に、燃焼ガス温度を高温化した場合の「従来型ガスタービン（ＧＴ）」における燃焼器ライナ温度と圧力損失（ΔＰ）特性について示しているように、圧力損失（ΔＰ）は、ＧＴ負荷２５％以上で制限値（点線で示す）以下となっているものの、燃焼ガス温度の高温化に伴って、燃焼器ライナ温度は、局所的に制限値（点線で示す）を超える条件（ガスタービン（ＧＴ）負荷領域）が存在している。
【００２７】
その理由として、ガスタービン（ＧＴ）負荷を徐々に上昇させる途中で、ガスタービン負荷の切り替え時に生じる燃焼状態の変化により、局所的に燃焼器ライナ温度の高温域が生じるためである。特に、この部分負荷の運転切り替え時（２５％負荷→５０％負荷→７５％負荷→１００％負荷）においては、燃焼安定性を得るために、一時的に燃空費（燃料量）を高くするため、過渡的に燃焼器ライナ温度が高くなる。
【００２８】
そこで、燃焼器ライナ温度を制限値以下に抑制するための一つの方法として、燃焼器ライナ８とライナフロースリーブ１４の間隙を小さくすることによって、冷却作用を持たせた燃焼空気２の流れを加速し対流冷却を促進するものがある。これによって、燃焼器ライナ温度を制限値以下とすることができる。
【００２９】
しかし、図１６に示す「冷却強化型ガスタービン（ＧＴ）」のように、冷却作用を持たせた燃焼空気２を加速した分、逆に圧力損失（ΔＰ）は増加し制限値を超えることが分かる。
【００３０】
図９乃至図１２を用いて、図１６に示す「冷却強化型ガスタービン（ＧＴ）」の特性について、更に詳しく説明する。
【００３１】
フィルムレスガスタービン燃焼器では、圧縮機１で生成された燃焼空気２は、全量トランジションピース９と、その外周側に設けたトランジションピースフロースリーブ１６によって形成された環状流路１１から燃焼器ライナ８と、燃焼器ライナ８の外周側に設けたライナフロースリーブ１４とによって形成された環状流路１１へと一連のつながりで流れる。
【００３２】
図９に示す如く、バイパス孔１５Ｂをフローコントロール（ＦＣ）弁１９で塞ぐことで、ライナフロースリーブ１４のバイパス孔１５Ａの位置を、バイパス孔１５Ａの上流位置での燃焼器ライナ温度Ｔ１とバイパス孔１５Ａの下流位置での燃焼器ライナ温度Ｔ２の中間位置として、バイパス孔１５Ａの下流位置での燃焼器ライナ温度Ｔ２の上流位置での空気流量をＧ１、バイパス孔１５Ａから流入する空気流量をＧ２、バイパス孔１５Ａの下流位置での空気流量をＧ３とした場合、Ｇ３＝Ｇ１＋Ｇ２の関係が成り立つ。
【００３３】
図１０に示す「ＦＣ開度と空気流量特性の関係」及び図１１に示す「ＦＣ開度と燃焼器ライナ温度の関係」から分かるように、バイパス孔１５Ａの下流位置での燃焼器ライナ温度Ｔ２の位置の上流側に設けているバイパス孔１５ＡのＦＣ開度を大きくして、ここから流入する空気流量Ｇ２を増加させると、バイパス孔１５Ａから流入する空気流量Ｇ２が増加した分バイパス孔１５Ａの上流位置での空気流量Ｇ１は減少するため、バイパス孔１５Ａの上流位置での冷却性能は低下し、バイパス孔１５Ａの下流位置での燃焼器ライナ温度Ｔ１は上昇する。しかし、バイパス孔１５Ａの下流位置での燃焼器ライナ温度Ｔ２は、バイパス孔１５Ａから流入する空気流量Ｇ２の増減に関わらず、常にトータル空気流量Ｇ３は一定であるため、同じ温度を示すことになる。
【００３４】
更に、図１３及び図１４に示すように、フローコントロール（ＦＣ）弁１９をスライドさせることによりバイパス孔１５Ａをフローコントロール（ＦＣ）弁１９で塞ぎ、バイパス孔１５Ａの上流位置での燃焼器ライナ温度Ｔ１の位置の上流側に設けているバイパス孔１５Ｂから空気流量Ｇ２を流入させた場合、空気流量Ｇ２の増減に関わらず、バイパス孔１５Ａの上流位置での燃焼器ライナ温度Ｔ１及びバイパス孔１５Ａの下流位置での燃焼器ライナ温度Ｔ２の位置に流れるトータル空気流量Ｇ３は一定であるため、フローコントロール（ＦＣ）弁１９の開度に関わらず、バイパス孔１５Ａの上流位置での燃焼器ライナ温度Ｔ１及びバイパス孔１５Ａの下流位置での燃焼器ライナ温度Ｔ２の位置での温度は一定となる。バイパス孔１５Ｂから流入する空気流量Ｇ２を増加させると、燃焼器全体の圧力損失は低下傾向を示すこととなる。
【００３５】
一方、図１２に示す「ＦＣ開度と圧力損失の関係」から分かるように、ＦＣ開度を大きくしてバイパス孔１５Ａから流入する空気流量Ｇ２を増加させると、燃焼器全体の圧力損失は低下傾向となり、逆に、ＦＣ開度を小さくしてバイパス孔１５Ａから流入する空気流量Ｇ２を減少させると、燃焼器全体の圧力損失は増加傾向となる。
【００３６】
この理由は、バイパス孔１５Ａから流入する空気流量Ｇ２を増加させると、トランジションピース９とトランジションピースフロースリーブ１６によって形成された環状流路１１から流入する燃焼空気２の流量が減少するのに伴って、このトランジションピース９の領域での流体抵抗が減少するためである。反対に、バイパス孔１５Ａから流入する空気流量Ｇ２を減少させると、トランジションピース９とトランジションピースフロースリーブ１６によって形成された環状流路１１から流入する燃焼空気２の流量が増加するのに伴って、このトランジションピース９の領域での流体抵抗が増加するため、圧力損失は増加する。
【００３７】
このように、燃焼器ライナ８の外周側に設置されているライナフロースリーブ１４の周方向に所定間隔をもって複数の円形のバイパス孔１５が設けられ、このバイパス孔１５の列が燃焼器ライナ８の軸方向に複数列設けることにより、燃焼器ライナ温度が制限値を超えて高くなる位置（ホットスポット位置）が燃焼状態の変化によって移動しても、ベルト状のフローコントロール（ＦＣ）弁１９を燃焼器ライナ８の軸方向にスライドさせることで、最適な位置のバイパス孔１５から空気流量Ｇ２を流入させることができ、燃焼器ライナ温度と圧力損失（ΔＰ）を同時に低減することが可能となる。
【００３８】
次に、図１６に示す「冷却強化型ガスタービン（ＧＴ）」において、燃焼器ライナ温度と圧力損失（ΔＰ）を同時に低減する本実施例の具体的な構成について、図３を用いて説明する。
【００３９】
図３は、本実施例に係るライナフロースリーブ１４と、そのライナフロースリーブ１４の外周側に設置したフローコントロール（ＦＣ）弁１９の詳細を示すものである。
【００４０】
本実施例で重要なことは、ライナフロースリーブ１４に設ける複数の円形のバイパス孔１５は、従来必要とされているバイパス孔数（若しくはバイパス孔面積）よりも多め（大きく）にすると共に、ライナフロースリーブ１４の外周側に、このバイパス孔１５を完全に覆う（閉塞する）ことができるベルト状のフローコントロール（ＦＣ）弁１９を設置することである。
【００４１】
具体的には、周方向に所定間隔をもって複数個形成されているバイパス孔１５の列を軸方向に複数列設けることでバイパス孔数を多くすると共に、ベルト状のフローコントロール（ＦＣ）弁１９でバイパス孔１５を外周側から覆い、かつ、このベルト状のフローコントロール（ＦＣ）弁１９が燃焼器ライナ８の軸方向にスライドしてバイパス孔１５を覆う位置を移動させることでバイパス孔１５の開口面積を調整（制御）するものである。
【００４２】
また、図２に示すように、本実施例のガスタービン燃焼器は、ベルト状のフローコントロール（ＦＣ）弁１９を燃焼器ライナ８の軸方向にスライドさせる駆動装置１８及び燃焼器ライナ８の温度と燃焼器６の圧力損失の信号に基づいて駆動装置１８を駆動制御する制御装置１７を備えており、制御装置１７で燃焼器ライナ８の温度と燃焼器６の圧力損失の信号を入力して処理され、この制御装置１７からの指示に基づいて駆動装置１８でフローコントロール（ＦＣ）弁１９が可動されて、バイパス孔１５の開口面積が調整（制御）される。
【００４３】
図１７に、上述した制御によるガスタービン燃焼器の特性を「ＦＣ制御型ガスタービン（ＧＴ）」に示す。また、フローコントロール（ＦＣ）弁１９の動作について説明する。
【００４４】
ガスタービン起動前、初期値として設定しているバイパス孔１５の開口率（開口面積）となる位置に、予めフローコントロール（ＦＣ）弁１９を配置する。その後、ガスタービンを起動し徐々に部分負荷運転状態になると、制御装置１７に入力される燃焼器ライナ８の温度と燃焼器６の圧力損失（ΔＰ）の信号処理を開始する。
【００４５】
特に、通常、ガスタービンの部分負荷運転時では、燃焼器６の圧力損失（ΔＰ）が増大傾向にあるため、バイパス孔１５の開口面積をより大きくなるようにフローコントロール（ＦＣ）弁１９を「開」とすること（バイパス孔１５をフローコントロール（ＦＣ）弁１９で覆う面積を少なくすること）で、圧力損失（ΔＰ）の低減を図ることができる。この時、圧力損失（ΔＰ）値を制限値（点線で示す）内としながら、フローコントロール（ＦＣ）弁１９を燃焼器ライナ８の軸方向にスライドさせて、バイパス孔１５の開口率（開口面積）を徐々に小さくなるよう「閉」にすること（バイパス孔１５をフローコントロール（ＦＣ）弁１９で覆う面積を多くすること）で、燃焼器ライナ８の温度を制限値（点線で示す）に近づける。
【００４６】
そして、ガスタービン負荷を上昇させて１００％定格負荷運転に到達する間、燃焼ガス温度（燃焼負荷）上昇と同時に燃焼器ライナ８の温度も高くなるため、圧力損失（ΔＰ）値が制限値（点線で示す）を超えないようにしながら、フローコントロール（ＦＣ）弁１９を燃焼器ライナ８の軸方向にスライドさせて、バイパス孔１５の開口率（開口面積）を更に小さくなるよう「閉」にすることで、燃焼器ライナ８の温度を制限値（点線で示す）に近づける。
【００４７】
このような本実施例のように、フローコントロール（ＦＣ）弁１９を燃焼器ライナ８の軸方向にスライドしてバイパス孔１５を覆う位置を移動させることでバイパス孔１５の開口面積を調整（制御）することにより、燃焼状態（ガスタービン負荷）の変化に関わらず、常に燃焼器ライナ８の冷却と圧力損失（ΔＰ）を同時に低減でき、両者を制限値内にすることができる。
【００４８】
従って、本実施例によれば、ガスタービンの負荷変動や燃焼ガス温度高温化に対して冷却特性の向上及び圧力損失低減を図ることができ、その結果、製品の長寿命化を実現できる。
【００４９】
なお、本実施例の空気流入量の制御装置を備えたガスタービン燃焼器は、ガスタービンの起動から部分負荷、そして、１００％定格負荷運転までの全運転過程で適用されるものであり、特定の運転条件範囲に限られたものではない。
【実施例２】
【００５０】
図４に、本発明のガスタービン燃焼器の実施例２を示す。該図は、本実施例に係るライナフロースリーブ１４と、そのライナフロースリーブ１４の外周側に設置したフローコントロール（ＦＣ）弁１９の詳細を示すものである。
【００５１】
該図に示す本実施例の特徴は、ライナフロースリーブ１４の周方向に所定間隔をもって複数個形成されている列が軸方向に複数列（本実施例では２列）設けられている円形のバイパス孔１５と一致するように、フローコントロール（ＦＣ）弁１９の周方向にも所定間隔をもって複数の円形のバイパス孔１９Ａを設け、この周方向に複数設けられているバイパス孔１９Ａの列が軸方向に複数列（本実施例では２列）設けられていることである。他の構成は、図２及び図３に示す実施例１と同様である。
【００５２】
このような本実施例の構成とすることにより、実施例１と同様な効果が得られることは勿論、ライナフロースリーブ１４に設けられたバイパス孔１５、及びフローコントロール（ＦＣ）弁１９に設けられたバイパス孔１９Ａに流入する燃焼空気２の流入位置は、常に同じ場所となり、フローコントロール（ＦＣ）弁１９を駆動させることで、バイパス孔１５の開口率（開口面積）を増減させることができ、その結果、わずかなフローコントロール（ＦＣ）弁１９の駆動量で、バイパス孔１５の開口率（開口面積）の自動制御が可能となる。
【実施例３】
【００５３】
図５に、本発明のガスタービン燃焼器の実施例３を示す。該図は、本実施例に係るライナフロースリーブ１４と、そのライナフロースリーブ１４の外周側に設置したフローコントロール（ＦＣ）弁１９の詳細を示すものである。
【００５４】
該図に示す本実施例の特徴は、ライナフロースリーブ１４の周方向に所定間隔をもって複数個形成されているバイパス孔２１を、二つの等しい長さの平行線と二つの半円形から成る角丸長方形状とすることでバイパス孔面積を大きくし、この角丸長方形状のバイパス孔２１を、ベルト状のフローコントロール（ＦＣ）弁１９が燃焼器ライナ８の軸方向にスライドして、バイパス孔２１の開口面積を調整（制御）するようにした点である。他の構成は、図２及び図３に示す実施例１と同様である。
【００５５】
このような本実施例の構成とすることにより、実施例１と同様な効果が得られることは勿論、バイパス孔２１に流入する燃焼空気２の流入量を、フローコントロール（ＦＣ）弁１９の駆動量に応じて連続的により多くすることが可能となるので、その結果、圧力損失低減の制御範囲が広くなる。
【実施例４】
【００５６】
図６（ａ）及び図６（ｂ）に、本発明のガスタービン燃焼器の実施例４を示す。該図は、本実施例に係るライナフロースリーブ１４と、そのライナフロースリーブ１４の外周側に設置したフローコントロール（ＦＣ）弁１９の詳細と図６（ａ）のＡ−Ａ線に沿う断面図６（ｂ）を示すものである。
【００５７】
該図に示す本実施例の特徴は、図５に示した実施例３とほぼ同様であるが、ライナフロースリーブ１４の周方向に設けた複数個のバイパス孔２１の形状を二つの等しい長さの平行線と二つの半円形から成る角丸長方形とし、その長手方向がライナフロースリーブ１４の軸方向と同じにすると共に、フローコントロール（ＦＣ）弁１９の周方向のバイパス孔２１と対応する位置に複数個の円形管であるインピンジ冷却孔２０を設けたことである。このインピンジ冷却孔２０は、フロースリーブ１４のバイパス孔２１を通過して燃焼器ライナ８の外周側近傍まで伸びている。他の構成は、図２及び図３に示す実施例１と同様である。
【００５８】
このような本実施例の構成とすることにより、実施例１と同様な効果が得られることは勿論、燃焼器６の圧力損失低減のための制御と同時に、インピンジ冷却孔２０から流入した燃焼空気２によって、効率よく燃焼器ライナ８を冷却することが可能となる。
【実施例５】
【００５９】
図７に、本発明のガスタービン燃焼器の実施例５を示す。該図は、本実施例に係るライナフロースリーブ１４と、そのライナフロースリーブ１４の外周側に設置したフローコントロール（ＦＣ）弁１９の詳細を示すものである。
【００６０】
該図に示す本実施例の特徴は、図４に示した実施例２と同様であるが、フローコントロール（ＦＣ）弁１９を燃焼器ライナ８の周方向に回転駆動させる駆動装置を設けたことである。この駆動装置は、図２に示す駆動装置１８を使用しても構わない。
【００６１】
このような本実施例の構成とすることにより、実施例１と同様な効果が得られることは勿論、フロースリーブ１４に設けられた固定位置のバイパス孔１５からの燃焼空気２の流入は、駆動装置によりフローコントロール（ＦＣ）弁１９を周方向に回転駆動させた開度に応じて全周にわたり均一な燃焼空気２の流入量となるので、燃焼空気２の流れの安定性が増すことによる不安定流れに起因する過渡的な圧力損失（圧力変動）を低減できる。
【実施例６】
【００６２】
図８に、本発明のガスタービン燃焼器の実施例６を示す。該図は、本実施例に係るライナフロースリーブ１４と、そのライナフロースリーブ１４の外周側に設置したフローコントロール（ＦＣ）弁１９の詳細を示すものである。
【００６３】
該図に示す本実施例の特徴は、図４に示した実施例２と同様であるが、ライナフロースリーブ１４の周方向に所定間隔をもって設けた大きさの異なる複数の円形のバイパス孔１５を複数列設け、それと一致するようにフローコントロール（ＦＣ）弁１９の周方向にも大きさの異なる複数の円形のバイパス孔１９Ａを複数列設け、各列の隣り合う円形のバイパス孔１５及び１９Ａの大きさが順に大きくなる列と、その隣が順に小さくなる列を組合せたことである。
【００６４】
このような本実施例の構成とすることにより、実施例１と同様な効果が得られることは勿論、燃焼器ライナ８の周方向の燃焼器ライナ温度に温度分布が生じた場合、燃焼器ライナ温度の高い領域にあるバイパス孔１５の開口面積が大きくなるようフローコントロール（ＦＣ）弁１９を駆動させ、そこから流入する燃焼空気２の量を増大させることで、局所的高温部の燃焼器ライナ８を冷却させると同時に、圧力損失の低減も図ることができる。
【００６５】
なお、本発明は上記した実施例に限定されるものではなく、様々な変形例が含まれる。上記した実施例は本発明を分かりやすく説明したものであり、必ずしも説明した全ての構成を備えるものに限定されるものではない。また、ある実施例の構成の一部を他の実施例の構成に置き換えることも可能であり、ある実施例の構成に他の実施例の構成を加えることも可能である。また、各実施例の構成の一部について、他の構成の追加・削除・置換をすることも可能である。
【符号の説明】
【００６６】
１…圧縮機、２…燃焼空気、３…タービン、４…燃焼ガス、５…燃焼室、６…燃焼器、７…発電機、８…燃焼器ライナ、９…トランジションピース、１０…外筒、１１…環状流路、１２…プレート、１３…バーナ、１４…ライナフロースリーブ、１５、１５Ａ、１５Ｂ、１９Ａ、２１…バイパス孔、１６…トランジションピースフロースリーブ、１7…制御装置、１8…駆動装置、１9…フローコントロール（ＦＣ）弁、２０…インピンジ冷却孔、Ｇ１…バイパス孔の下流位置での燃焼器ライナ温度の上流位置での空気流量、Ｇ２…バイパス孔から流入する空気流量、Ｇ３…バイパス孔の下流位置での空気流量、Ｔ１…バイパス孔の上流位置での燃焼器ライナ温度、Ｔ２…バイパス孔の下流位置での燃焼器ライナ温度。
【図１】
2016118366.tif 000003
【図２】
2016118366.tif 000004
【図３】
2016118366.tif 000005
【図４】
2016118366.tif 000006
【図５】
2016118366.tif 000007
【図６（ａ）】
2016118366.tif 000008
【図６（ｂ）】
2016118366.tif 000009
【図７】
2016118366.tif 000010
【図８】
2016118366.tif 000011
【図９】
2016118366.tif 000012
【図１０】
2016118366.tif 000013
【図１１】
2016118366.tif 000014
【図１２】
2016118366.tif 000015
【図１３】
2016118366.tif 000016
【図１４】
2016118366.tif 000017
【図１５】
2016118366.tif 000018
【図１６】
2016118366.tif 000019
【図１７】
2016118366.tif 000020